(57)【要約】【課題】  壁面やドアの一面に簡単に取り付けて、ＣＤや絵皿などの薄板状物品を好適に収納展示する。【解決手段】壁面に左右方向に設定間隔をおいて固定された縦フレーム２と、上下方向に間隔をおいて左右の縦フレーム２間に位置して縦フレーム２に開口部を上方に向けて固定された複数個の断面略Ｕ字状の横フレーム３と、から構成される。そして、横フレーム３および壁面にわたって薄板状物品Ｇを立てかけて収納展示する。【選択図】  図１
2005278672.tif 000002
【特許請求の範囲】
【請求項１】
壁面またはドアの一面に左右方向に設定間隔をおいて固定された縦フレームと、上下方向に間隔をおいて左右の縦フレーム間に位置して縦フレームまたは壁面もしくはドアの一面に開口部を上方に向けて固定された複数個の断面略Ｕ字状の横フレームと、からなり、横フレームおよび壁面または横フレームおよびドアの一面にわたって薄板状物品を立てかけて収納展示することを特徴とする収納棚。
【請求項２】
前記設定間隔をおいた複数個の横フレームにそれぞれ照明装置が付設されていることを特徴とする請求項１記載の収納棚。
【請求項３】
前記横フレームに、断面逆Ｕ字状のフック部を有する棚部材が懸吊可能であることを特徴とする請求項１または２記載の収納棚。
【発明の詳細な説明】
【技術分野】
【０００１】
この発明は、壁面または室内ドアや収納ドアなどに取り付けられる収納棚に関するものである。
【背景技術】
【０００２】
従来より、室内ドアや収納ドアに面する空間を利用するため、ドアに収納棚を設けて物品を収納することが提案されている。例えば、特許文献１には、ドアの外枠の枠内を桟によって同一形状の複数個の開口に分割し、各開口に収納棚を一体成形した収納パネルを嵌め込み、ドアに設けた収納棚に物品を収納することが開示されている。また、特許文献２には、ドアを中空体に形成して内部に物品を収納することが開示されている。
【特許文献１】実開昭５７−３２４９５号公報
【特許文献２】実公平４−２０１４９号公報
【発明の開示】
【発明が解決しようとする課題】
【０００３】
ところで、特許文献１の収納パネルでは、予め収納する石鹸やシャンプーなどの備品の形状に対応して収納棚が形成されている他、扉を構成する鏡板として形成されており、後日任意に取り付けることはできない他、収納する物品が限定される。また、特許文献２の収納棚では、中空の扉体を開扉する際に、該扉体を収容する凹部を構造体に形成する必要があり、簡単に取り付けることができない他、構造体に凹部を形成する空間が必要となる。
【０００４】
本発明は、このような問題点に鑑みてなされたもので、壁面やドアの一面に簡単に取り付けることができ、ＣＤや絵皿などの薄板状物品を好適に収納展示することのできる収納棚を提供するものである。
【課題を解決するための手段】
【０００５】
本発明は、壁面またはドアの一面に左右方向に設定間隔をおいて固定された縦フレームと、上下方向に間隔をおいて左右の縦フレーム間に位置して縦フレームまたは壁面もしくはドアの一面に開口部を上方に向けて固定された複数個の断面略Ｕ字状の横フレームと、からなり、横フレームおよび壁面または横フレームおよびドアの一面にわたって薄板状物品を立てかけて収納展示することを特徴とするものである。
【０００６】
本発明によれば、壁面やドアの一面に接着剤やビスを介して簡単に取り付けることができる。そして、横フレームの開口部を通して挿入された薄板状物品は、壁面またはドアの一面に立てかけられて収納展示されることから、壁面またはドアの一面からの突出量が抑制され、ドアに設ける場合であっても、支障なくドアの開閉操作を行うことができる。
【０００７】
本発明において、前記設定間隔をおいた複数個の横フレームにそれぞれ照明装置が付設されていると、収納された薄板状物品を照明することができる。
【０００８】
本発明において、前記横フレームに、断面逆Ｕ字状のフック部を有する棚部材が懸吊可能であると、棚部材を利用して多様な物品を収納することができ、収納対象物品の種類および収納量を拡大することができる。
【発明の効果】
【０００９】
本発明によれば、ドアの一面や壁面に簡単に取り付けて、ＣＤや絵皿などの薄板状物品を収納展示することができる。
【発明を実施するための最良の形態】
【００１０】
以下、本発明の実施の形態を図面に基づいて説明する。
【００１１】
図１および図２には、本発明の収納棚１の一実施形態が示されている。
【００１２】
この収納棚１は、左右方向に設定間隔をおいて配置された一対の縦フレーム２と、一対の縦フレーム２，２に上下方向に間隔をおいて連結された複数本の横フレーム３と、から構成されている。
【００１３】
ここで、縦フレーム２は、例えば、２１×１８×２２５０ｍｍの角パイプであって、６００ｍｍの外面間隔をおいて配置されている。また、横フレーム３は、例えば、１８×１５×５５１ｍｍの断面Ｕ字状に形成され、それぞれ開口部を上方に向けた状態で上下方向に１８０ｍｍの間隔をおいて配置されている。
【００１４】
この場合、縦フレーム２に対する横フレーム３の連結手段としては、接着、ビス止め、あるいは溶着などを採用することができる。
【００１５】
なお、適宜の横フレーム３には、照明装置として、底面に白色パネル４に覆われた照明用ＬＥＤ５が配設されている。
【００１６】
このように構成された収納棚１を取り付けるには、例えば、壁面に沿って収納棚１を対置し、接着剤を介して、あるいは、ビスを介して縦フレーム２を壁面に固定すればよい。そして、各横フレーム３の開口部を通してＣＤや絵皿などの薄板状物品Ｇを挿入し、壁面に立てかけることにより、収納し、展示することができる。
【００１７】
この場合、横フレーム３と壁面にわたって薄板状物品Ｇを収納し、展示することにより、壁面からの突出量を可及的に抑制することができる。
【００１８】
また、照明装置としてのＬＥＤ５を点灯させることにより、白色パネル４を通して薄板状物品Ｇを間接的に照明することができる。
【００１９】
さらに、一対の縦フレーム２，２の内面間隔と、隣接する一対の横フレーム３，３の内面間隔をそれぞれ略縦横寸法とするような木質系面材（図示せず）を各横フレーム３と壁面にわたって立てかけることにより、壁面を隠す衝立として機能させることもできる。
【００２０】
ところで、前述した収納棚１の横フレーム３を利用して棚部材を設けて収納物品の種類を増やすこともできる。例えば、図３に示すように、横フレーム３に懸吊可能なフック部６ａを有する棚部材６を用意し、棚部材６のフック部６ａを横フレーム３の縦片に懸吊することにより、棚部材６を利用して物品を収納することができる。
【００２１】
ここで、棚部材６としては、小物を収納するための図４に示す板状の棚部材６Ａや図５に示す箱状の棚部材６Ｂを挙げることができる他、レコードなどの薄い物品を立てて収納するため、図６に示すように、複数本の線材を溶接などで取り付けて仕切りに形成した棚部材６Ｃ、また、服などを吊り下げるため、図７に示すように、横フレーム３の前面との間に一定の間隔を有する棒状の棚部材６Ｄを挙げることができる。
【００２２】
これらの棚部材を横フレーム２に懸吊する場合、複数の横フレーム２に懸吊できるように上下方向に複数個のフック６ａを設けてもよく、また、反力を下方の横フレーム３の前面で支持するようにしてもよい。
【００２３】
なお、前述した実施形態においては、壁面に収納棚１を設けた場合を説明したが、室内ドアや収納ドアの一面に設けることもできる。この場合、収納棚１の、ドアの一面からの突出量を小さく抑制することができるため、ドアの開閉動作に支障をきたすことはない。
【産業上の利用可能性】
【００２４】
以上のように本発明によれば、壁面やドアの一面側に対向する空間の一部を収納棚として有効に活用することができる。
【図面の簡単な説明】
【００２５】
【図１】本発明の収納棚の一実施形態を示す斜視図である。
【図２】図１の収納棚を一部省略して示す縦断面図である。
【図３】本発明の収納棚の他の実施形態を一部省略して示す縦断面図である。
【図４】棚部材の一例を示す斜視図である。
【図５】棚部材の変形例を示す斜視図である。
【図６】棚部材の他の変形例を示す斜視図である。
【図７】棚部材のもう一つの変形例を示す斜視図である。
【符号の説明】
【００２６】
１  収納棚
２  縦フレーム
３  横フレーム
４  白色パネル
５  ＬＥＤ
６，６Ａ，６Ｂ，６Ｃ，６Ｄ  棚部材
６ａ  フック部
【図１】
2005278672.tif 000003
【図２】
2005278672.tif 000004
【図３】
2005278672.tif 000005
【図４】
2005278672.tif 000006
【図５】
2005278672.tif 000007
【図６】
2005278672.tif 000008
【図７】
2005278672.tif 000009